(57)【特許請求の範囲】
【請求項１】
ユーザーの足に装着されるように構成された製品であって、該製品は、圧潰可能なソール、前記圧潰可能なソールに結合されたアッパー、及び、前記アッパーに結合されたファブリックアセンブリを有し、前記ファブリックアセンブリは、第１外側部及び第２外側部を有する外壁を含み、前記ファブリックアセンブリが非作動モード及び作動モードを有し、前記非作動モードでは、前記ファブリックアセンブリが該製品に重なり、前記第２外側部を隠しながら前記第１外側部を露出し、前記動作モードでは、前記ファブリックアセンブリが該製品から延びて、前記第２外側部を露出する、製品と、
前記製品に結合された、独立した空気動力式アクチュエータアセンブリであって、該空気動力式アクチュエータアセンブリは、
前記圧潰可能なソール内に配置され、第１ブラダー容積を含有する第１外壁を有する第１独立エアブラダーであって、前記第１外壁は、前記第１ブラダー容積の圧潰後に反復的に前記第１ブラダー容積を膨張させる第１形状復元性を提供し、前記第１ブラダー容積は、第１空気量のための第１容量を含み、前記第１独立エアブラダーは、前記第１外壁が潰れたときに前記第１ブラダー容積から前記第１空気量の一部を排出する排気口を含む、第１独立エアブラダーと、
前記アッパー及び前記ファブリックアセンブリの両方に結合された第２独立エアブラダーであって、該第２独立エアブラダーは、第２ブラダー容積を含有する第２外壁を有し、該第２独立エアブラダーは、前記第１独立エアブラダーと離れて配置され、且つ、前記第２ブラダー容積は、第２空気量のための第２容量を含み、該第２独立エアブラダーは、折り畳みモード及び展開モードを含み、前記折り畳みモードが、該第２独立エアブラダーを折り畳み形態にし、該折り畳み形態では、該第２独立エアブラダーの第１部分が該第２独立エアブラダーの第２部分に重なり合い、前記折り畳み形態が、少なくとも部分的に収縮した前記第２ブラダー容積で第１距離に等しい前記部分間の間隔を定め、そして、前記展開モードが該第２独立エアブラダーを展開形態にし、前記展開形態では、前記第１距離よりも前記間隔が大きく、且つ、前記第２ブラダー容積が、前記展開形態に少なくとも部分的に膨張しており、前記折り畳みモードから前記展開モードへの該第２独立エアブラダーの展開移行が、前記ファブリックアセンブリを前記非作動モードから前記作動モードへと移行させ、そして、前記展開モードから前記折り畳みモードへの該第２独立エアブラダーの折り畳み移行が、前記ファブリックアセンブリを前記作動モードから前記非作動モードへと移行させる、第２独立エアブラダーと、
前記排気口及び前記第２独立エアブラダーに結合され、前記第１ブラダー容積と前記第２ブラダー容積との間で空気を移動させる細長い接続チャネルと、
を含む空気動力式アクチュエータアセンブリと、を備え、
前記第２独立エアブラダーは、前記折り畳みモードに偏向され、
前記第２ブラダー容積から前記第１ブラダー容積に空気が入ることに応答して、前記折り畳み形態から前記展開形態に前記第２独立エアブラダーが展開し、
前記空気が前記第１ブラダー容積を膨張させるときに前記展開形態から前記折り畳み形態に前記第２独立エアブラダーが折り重なることを特徴とする空気作動式遊戯装置。
【請求項２】
前記第２独立エアブラダーが前記展開モードに移行した後に前記第２独立エアブラダーを前記折り畳みモードに戻す前記第１偏向要素をさらに備えることを特徴とする請求項１に記載の空気作動式遊戯装置。
【請求項３】
前記第２独立エアブラダーは、前記第１及び第２部分の間に配置された屈曲部を含み、前記第１部分が前記アッパー及び前記細長い接続チャネルに結合され、且つ、前記第２独立エアブラダーの移行は、前記屈曲部について前記第２部分の折り畳み及び展開動作の結果としてなることを特徴とする請求項１に記載の空気作動式遊戯装置。
【請求項４】
前記ファブリックアセンブリは、前記アッパーの前部に取り付け点で結合されており、前記非作動モードでは、前記ファブリックアセンブリが前記取り付け点から前記製品の正面に向かって前記アッパーに折り重なり、前記作動モードでは、前記製品の正面の前方の支点から前記第２外側部が表されることを特徴とする請求項１に記載の空気作動式遊戯装置。
【請求項５】
前記細長い接続チャネルは、独立エアホースを含むことを特徴とする請求項１に記載の空気作動式遊戯装置。
【請求項６】
前記第２独立エアブラダーの偏向は、前記第２外壁が第２形状復元性を有し、前記第２独立エアブラダーを前記折り畳み形態に設定し、前記第２形状復元性は、前記第２独立エアブラダーを前記展開形態から前記折り畳み形態に移行させることを特徴とする請求項１に記載の空気作動式遊戯装置。
【請求項７】
前記第１独立エアブラダーから前記製品の周囲の外気への流体接続を提供するエアベントをさらに含むことを特徴とする請求項１に記載の空気作動式遊戯装置。
【請求項８】
前記製品の周囲の外気から前記第１独立エアブラダーへの流体接続を提供するワンウェイバルブをさらに含むことを特徴とする請求項１に記載の空気作動式遊戯装置。
【請求項９】
前記ワンウェイバルブは、前記細長い接続チャネル内に配置され、前記ブラダー間の空気移動のやりとりをする双方向チャネルを含むことを特徴とする請求項８に記載の空気作動式遊戯装置。
【請求項１０】
第１エアキャビティであって、該独立した第１エアキャビティは、第１空気量のための第１容量を含み、且つ、該第１エアキャビティが潰されたときに前記第１空気量の一部が外に出ることを可能とする排気口を含む、第１エアキャビティと、
前記第１エアキャビティに対して離隔して配置された空気作動式能動要素であって、該空気作動式能動要素は、第２空気量のための第２容量を有する第２エアキャビティを含み、該空気作動式能動要素は、前記第２エアキャビティが実質的に収縮した第１モード、及び、前記第２エアキャビティが少なくとも部分的に膨張した第２モードを含んでおり、前記第２エアキャビティ内に前記空気の一部が入ることに応答して、前記空気作動式能動要素が前記第１モードから前記第２モードに移行し、前記第１モードでは前記空気作動式能動要素が柔軟であり、前記第２モードでは前記空気作動式能動要素が硬直している、空気作動式能動要素と、
前記排気口及び前記空気作動式能動要素に結合され、前記空気の一部を前記第１エアキャビティから前記第２エアキャビティまで移動させる細長い接続チャネルと、を備え、
前記空気動力式能動要素は、周縁の周りに封着された一対の細長い可撓性平面部材を含み、これにより、前記第２エアキャビティを定め、前記一対の細長い可撓性平面部材が前記空気作動式能動要素に第１断面を提供し、前記第１断面は前記第１モードにおいて略矩形状であり、且つ、前記第２モードにおいて略楕円形状であり、
前記空気の一部が前記第２エアキャビティに移動された後、前記空気動力式能動要素を前記第１モードに戻す第１偏向要素をさらに備え、
スリーブを定めるように前記周縁に少なくとも部分的に結合された外周を有する第３可撓性平面部材をさらに備え、前記第１偏向要素が前記スリーブ内に配置されることを特徴とする空気動力式作動システム。
【発明の詳細な説明】
【技術分野】
【０００１】
（関連する出願の参照）
この出願は、出願日２０１１年１月２日の米国仮出願６１／４２９、１７７号及び出願日２０１１年８月２６日の米国仮出願６１／５２８、１００号の優先権を主張する出願日２０１１年１２月２１日の米国出願１３／３３３、４６２号を含む３つの米国出願の優先権を主張する。上記の出願の内容は、全体として、この参照により、ここに組み込まれる。
【０００２】
（本願発明に関する著作権）
本願の開示の一部は、著作権保護の対象を含む。著作権者は、特許商標庁の記録された特許文献又は特許開示のいずれかによる複製以外の利用に関して、著作権を留保する。
【背景技術】
【０００３】
本願発明は、一般的に遊戯システムに関する。特に、装着者の動作に反応し、空気作動式能動要素（ａｉｒ−ａｃｔｕａｔｅｄ  ａｃｔｉｖｅ  ｅｌｅｍｅｎｔ）を有する遊戯用服飾品に関する。
【０００４】
人、特に子供及び若者は、遊戯（アミューズメント）システムに興味を持っている。遊戯システムが色彩豊かであり、服装に含まれる１つ又は１つ以上のユーザーにより作動可能な能動要素を有する場合はなおさらである。ユーザーの興味及び新鮮味を維持するために、多様な遊戯システムを提供することが望まれている。
【０００５】
ここで必要とされるのは、１又は複数のユーザーにより作動可能な能動要素を有する改善された遊戯システムである。
【発明の概要】
【０００６】
服飾品に設置可能であり、ユーザーにより作動可能な１又は複数の能動要素を含む遊戯システム及び方法を開示する。好適な実施態様では、操作者（装着者）は、日常的な動作を応じて、遊戯システムを作動させることができる。例えば、フットウェア（靴）ベースの遊戯システムでは、単純に歩行が遊戯システムを作動させる。さらに好ましくは、遊戯システムは、システムまたはそれが設置される構造のテーマ性（主題）を有するように設置される。例えば、服飾品が「鳥」というテーマを有する場合、遊戯システムは、該「鳥」のテーマに結びつく服飾品の可動要素のためのエンジンとして機能する（例えば、作動する度に羽ばたく羽等）。可能なテーマ、または、それらに対応する能動要素は多様である。本願発明の好適な実施態様は、空気動力式遊戯システム及び方法を含み、特には、服飾品に設置される遊戯システムを含み、より具体的には、テーマ性（主題）を有するフラシ天のフットウェアに設置される遊戯システムを含む。
【０００７】
空気動力式作動システムは、第１エアキャビティであって、該第１エアキャビティは、第１空気量のための第１容量を含み、且つ、該第１エアキャビティが潰されたときに前記第１空気量の一部が外に出ることを可能とする排気口を含む、第１エアキャビティと、
前記第１エアキャビティに対して離隔して配置された空気作動式能動要素であって、該空気作動式能動要素は、第２空気量のための第２容量を有する第２エアキャビティを含み、該空気作動式能動要素は、前記第２エアキャビティが実質的に収縮した第１モード、及び、前記第２エアキャビティが少なくとも部分的に膨張した第２モードを含んでおり、前記第２エアキャビティ内に前記空気の一部が入ることに応答して、前記空気作動式能動要素が前記第１モードから前記第２モードに移行し、前記第１モードでは前記空気作動式能動要素が柔軟であり、前記第２モードでは前記空気作動式能動要素が硬直している、空気作動式能動要素と、前記排気口及び前記空気作動式能動要素に結合され、前記空気の一部を前記第１エアキャビティから前記第２エアキャビティまで移動させる長尺接続チャネルと、を備える。
【０００８】
空気動力式作動システムを操作する方法は、（ａ）第１エアキャビティを繰り返し潰す工程であって、各潰す動作が、前記第１エアキャビティ内に包含された第１空気量の一部を排出する、工程と、（ｂ）前記第１エアキャビティを繰り返し拡張する工程と、
（ｃ）前記各潰す工程（ａ）に応答して、空気作動式能動要素内に含まれる第２エアキャビティ内への空気の一部の移動を開始する工程であって、前記第１エアキャビティを前記第２エアキャビティに接続する可撓性導管を通して前記空気の一部が流れ、前記空気の一部が第２エアキャビティ内に流れ、偏向的に閉じた第１モードから開いた第２モードに向かって前記空気作動式能動要素の移動を開始させ、前記偏向的に閉じた第１モードでは、前記第２エアキャビティが実質的に収縮し、前記第２モードでは、前記第２エアキャビティが少なくとも部分的に膨張している。
【０００９】
フットウェア製品は、第１エアキャビティを含むソールであって、前記第１エアキャビティは、第１空気量のための第１容量を含み、且つ、該第１エアキャビティが潰されたときに前記第１空気量の一部が外に出ることを可能とする排気口を含む、ソールと、  前記ソールに結合され、装着者の足の一部を覆うアッパーと、前記アッパーされた空気作動式能動要素であって、該空気作動式能動要素は、第２空気量のための第２容量を有する第２エアキャビティを含み、該空気作動式能動要素は、前記第２エアキャビティが実質的に収縮した第１モード、及び、前記第２エアキャビティが少なくとも部分的に膨張した第２モードを含んでおり、前記第２エアキャビティ内に前記空気の一部が入ることに応答して、前記空気作動式能動要素が前記第１モードから前記第２モードに移行し、前記第１モードでは前記空気作動式能動要素が柔軟であり、前記第２モードでは前記空気作動式能動要素が硬直している、空気作動式能動要素と、前記排気口及び前記空気作動式能動要素に結合され、前記空気の一部を前記第１エアキャビティから前記第２エアキャビティまで移動させる長尺接続チャネルと、を備える。
【００１０】
装着者の足に装着される空気動力式フットウェア製品を操作する方法は、前記空気動力式フットウェア製品は、圧潰（折り畳み）可能且つ拡張可能なエアキャビティを前記空気動力式フットウェア製品のソール内に含み、前記エアキャビティが拡張状態に偏向され、足によって付加された圧縮力に応答して前記エアキャビティが潰れ、該方法は、（ａ）装着者が前記エアキャビティから空気量を排出するように前記ソールに重み付けすることに応答して、前記エアキャビティを潰す工程と、（ｂ）前記ソールに結合された空気作動式能動要素に前記エアキャビティから排出された前記空気量を接続する工程であって、前記空気作動式能動要素は、第１モード及び第２モードを含み、前記空気作動式能動要素が前記第１モードに偏向され、且つ、前記空気量に応答して前記第１モードから前記第２モードへと移行する、工程と、（ｃ）前記装着者が前記ソールに重み付けをすることに応答して、前記第１モードから前記第２モードへと前記空気作動式能動要素を移行させる工程と、（ｄ）前記装着者が前記ソールへの重み付けを除去することに応答して、前記第２モードから前記第１モードへと前記空気作動式能動要素を移行させる工程と、含む。
【００１１】
開示されたシステム及び方法は、広範囲の能動遊戯装置及び工程を形成するための柔軟な構成を提供する。フットウェアのような服飾品に組み込まれたとき、装着しつつ歩くことにより、各ステップ（歩行）で空気作動式要素を作動させ、装着者の注意を引き、興味を起こす。服飾、特には、フラシ天の服飾、更に具体的にはテーマ性を有するフラシ天の能動的な子供用フットウェアに関して、丈夫であり、弾力性のあり、安価であり、且つ、広範囲の動作状況下で長期間の利用を提供できる非剛体手段を提供することが求められている。ここに説明する空気動力式遊戯システム及びそのサブシステムは、服飾用途に限定されず、他の用途にも適合可能である。人形等は、第１エアキャビティを押圧又は圧縮することによって作動される能動要素を含み得る。本願発明の他の特徴及び利点は、明細書、図面、特許請求の範囲を検討することで理解される。
【図面の簡単な説明】
【００１２】
図１〜９は、本願発明の実施形態を示す図である。
【００１３】
【図１】図１は、第１の空想的な空気動力式能動フットウェア製品を示す分解斜視図である。
【００１４】
【図２】図２は、ここに開示されている空気動力式フットウェアの構成要素の平面図である。
【００１５】
【図３】図３は、第２の空想的な空気動力式能動フットウェア製品、その部品及び動作を示す側面図及び正面図である。
【００１６】
【図４】図４は、図１及び図３の空想的な空気動力式能動フットウェア製品及びその動作を示す正面図である。
【００１７】
【図５】図５は、異なるテーマ性を有する空想的な空気動力式能動フットウェア製品及びその動作を示す正面図である。
【００１８】
【図６】図６は、異なるテーマ性を有する空想的な空気動力式能動フットウェア製品及びその動作を示す正面図である。
【００１９】
【図７】図７は、異なるテーマ性を有する空想的な空気動力式能動フットウェア製品及びその動作を示す正面図である。
【００２０】
【図８】図８は、異なるテーマ性を有する空想的な空気動力式能動フットウェア製品及びその動作を示す正面図である。
【００２１】
【図９】図９は、ここに開示されているテーマ性を有する空気動力式フットウェアに使用される回転性空気動力式アクセサリの左面図及び右面図である。
【００２２】
図１０〜１７は、本発明の好ましい実施形態の構造的及び動作的な詳細を示す図である。
【００２３】
【図１０】図１０は、代表的な空想的な空気動力式能動フットウェア製品の側面図である。
【００２４】
【図１１】図１１は、ここ開示されているテーマ性を有する空気動力式能動フットウェア製品において使用される、第１のタイプの空気動力式アクチュエータの作動手順を示す側面図である。
【００２５】
【図１２】図１２は、ここ開示されているテーマ性を有する空気動力式能動フットウェア製品において使用される、第２のタイプの空気動力式アクチュエータの作動手順を示す側面図である。
【００２６】
【図１３】図１３は、ここ開示されているテーマ性を有する空気動力式能動フットウェア製品において使用される、第３のタイプの空気動力式アクチュエータの作動手順を示す側面図である。
【００２７】
【図１４】図１４は、図１３で使用されるポリマー製ヒンジの平面図である。
【００２８】
【図１５】図１５は、ここに開示されているテーマ性を有する空想的な空気動力式能動フットウェアにおいて使用される第４のタイプの空気動力式アクチュエータの平面図である。
【００２９】
【図１６】図１６は、ここに開示されているテーマ性を有する空想的な空気動力式能動フットウェアにおいて使用される第５及び第６のタイプの空気動力式アクチュエータの動作手順を示す側面図である。
【００３０】
【図１７】図１７は、ここに開示されているテーマ性を有する空想的な空気動力式能動フットウェアにおいて使用される第７及び第８のタイプの空気動力式アクチュエータの動作手順を示す側面図である。
【００３１】
図１８〜３０は、開示された好適な実施形態のうちの選択された１の代表的な実施例を示す追加の図である。
【００３２】
【図１８】図１８は、本発明を実施する、テーマ性を有する空想的な空気動力式能動フットウェア製品の代表的な実施例を示す正面斜視図である。
【００３３】
【図１９】図１９は、休止モードの子犬のテーマを有する空想的な空気動力式能動フットウェア製品の正面斜視図である。
【００３４】
【図２０】図２０は、作動モードの図１９の子犬のテーマを有する空想的な空気動力式能動フットウェア製品の正面斜視図である。
【００３５】
【図２１】図２１は、休止モードの犬のテーマを有する空想的な空気動力式能動フットウェア製品の正面斜視図である。
【００３６】
【図２２】図２２は、作動モードの図２１の犬のテーマを有する空想的な空気動力式能動フットウェア製品の正面斜視図である。
【００３７】
【図２３】図２３は、休止モードの単眼モンスターのテーマを有する空想的な空気動力式能動フットウェア製品の正面斜視図である。
【００３８】
【図２４】図２４は、作動モードの図２３の単眼モンスターのテーマを有する空想的な空気動力式能動フットウェア製品の正面斜視図である。
【００３９】
【図２５】図２５は、休止モードのユニコーンのテーマを有する空想的な空気動力式能動フットウェア製品の正面斜視図である。
【００４０】
【図２６】図２６は、作動モードの図２５のユニコーンのテーマを有する空想的な空気動力式能動フットウェア製品の正面斜視図である。
【００４１】
【図２７】図２７は、休止モードの爬虫類のテーマを有する空想的な空気動力式能動フットウェア製品の正面斜視図である。
【００４２】
【図２８】図２８は、作動モードの図２７の爬虫類のテーマを有する空想的な空気動力式能動フットウェア製品の正面斜視図である。
【００４３】
【図２９】図２９は、休止モードのウサギのテーマを有する空想的な空気動力式能動フットウェア製品の正面斜視図である。
【００４４】
【図３０】図３０は、作動モードの図２９のウサギのテーマを有する空想的な空気動力式能動フットウェア製品の正面斜視図である。
【００４５】
【図３１】図３１は、休止モード及び伸張する作動モードにおける第１の宇宙人のテーマを有する空想的な空気動力式能動フットウェア製品をそれぞれ示す正面斜視図及び側面図である。
【００４６】
【図３２】図３２は、休止モード及び伸張しない作動モードにおける第２の宇宙人のテーマを有する空想的な空気動力式能動フットウェア製品をそれぞれ示す正面斜視図及び側面図である。
【００４７】
【図３３】図３３は、空気動力式能動フットウェア製品の代表的な独立した複数のエアブラダーの実施形態を示す切欠図であり、該フットウェア製品は、他方から独立して作動可能な前方エアブラダー及び後方エアブラダーを有する。
【００４８】
【図３４】図３４は、３つのモード（左から右）；非作動モード（舌は出ておらず、耳は垂れている）、耳作動モード（舌は出ておらず、耳は上がっている）、舌作動モード（舌は出ており、耳は垂れている）において、図３３に示された複数のエアブラダーに結合される一対の空気動力式アクセサリの代表的な独立動作を強調する正面斜視のモードのセットを示す。
【００４９】
図３５〜図３７は、追加の別実施形態である。
【００５０】
【図３５】図３５は、休止モード及び作動モードにおける恐竜のテーマを有する空想的な空気動力式能動フットウェア製品の一対の側面図であり、さらに、作動モードの恐竜のテーマを有する空想的な空気動力式能動フットウェア製品の正面斜視図である。
【００５１】
【図３６】図３６は、休止モード及び作動モードにおける海獣のテーマを有する空想的な空気動力式能動フットウェア製品の一対の側面図であり、さらに、作動モードの海獣のテーマを有する空想的な空気動力式能動フットウェア製品の正面斜視図である。
【００５２】
【図３７】図３７は、休止モードにおける魚のテーマを有する空想的な空気動力式能動フットウェア製品を示す正面斜視図、及び、作動モードにおける魚のテーマを有する空想的な空気動力式能動フットウェア製品を示す側面図である。
【００５３】
【図３８】図３８は、ここに開示されたテーマを有する空想的な空気動力式能動フットウェア製品で使用される第９のタイプの空気動力式アクチュエータの動作手順を示す。
【発明を実施するための形態】
【００５４】
本発明は、改善された遊戯構造及び１又は複数のユーザーにより作動可能な能動要素を含む工程のための装置、システム及び方法に関する。下記の説明は、当業者が把握し、再現できるように記載されており、特許出願の要件を満たすものである。好適な実施形態への様々な改変、並びに、ここに説明される一般的原則及び特徴は、当業者にとって明らかである。すなわち、本発明は、開示される実施形態に限定されることを意図していないが、ここに説明される原理及び特徴に合致する最も広い範囲が認められるべきである。
【００５５】
図１〜９は、本発明のさまざまな実施例の図である。
【００５６】
本発明は、１以上のユーザー作動式（使用者により作動可能な）能動要素を含む、特に子供及び若者のための改善された遊戯システム及び方法に関する。多くの種類の空気動力式（空気を動力源とする）構造（例えば、開き、上下にはためき、回転し、スピンし、直立し、展開し、反転し、吹き出し、広がり、膨張する等）は、１又は複数のエアキャビティ（空洞部）からの空気の排出に応答する。例えば、「ドラゴンの頭」の実施形態では、踏み付け（ダウンステップ）でドラゴンの口の外に舌が展開され、足上げ（アップステップ）で舌が口の中に巻き戻される。
【００５７】
キャビティは、閉システム（システム内に含まれる空気量が一方の部分から他方の部分へ移動される）、開システム（空気量が排出され、また補充される）、又は、組み合わせ（部分的に排出され、且つ、部分的に含まれる）のシステムの一部として提供することができる。これら開システム／部分的な開システムでは、補充に必要な空気量は、排気口バルブを通して、特別に用意された入口バルブを通して、または、これらの組み合わせによって提供可能である。
【００５８】
これら空気作動式構造は、第１モードに偏向され、ユーザーがエアキャビティを潰す（例えば、キャビティを有するソールを踏み、つま先プロテクタ内にキャビティがあるときに物体を蹴る等）ことに反応して、空気量が構造の空気移動要素／コンポーネントを第２モードへと推移させる。キャビティは、ソール（靴底）の底全体又はただの一部（前部（例えば指球）又は後部（例えば踵））に設置してもよい。ある場合では、各フットウェア製品内に存在する複数のエアキャビティが存在し、各足で１又は複数の空気作動式構造を独立して制御してもよい。足の指球で踏むことが、一方の要素を作動させ、足の踵で踏むことが、他方の能動要素を作動させる（あるいは、キャビティを脚の長手方向の下で分離してもよい（例えば、左側と右側に）。例えば、図３３及び図３４を参照されたい。ある実施形態では、１又は複数のキャビティからの空気量によって制御される音響要素も同様に付加可能である。
【００５９】
開示された実施形態のいくつかは、エアキャビティを「再膨張（ｒｅ−ｉｎｆｌａｔｅ）」させるための１又は複数の明確な復元支持部を含む。このような復元支持部の必要性又は要求は、エアキャビティに使用される材料及び構造を含む複数の要因に依存する。例えば、十分な「形状復元性（ｓｈａｐｅ  ｍｅｍｏｒｙ）」を有する厚壁を備えるエアブラダー（空気袋）は、追加の復元支持部なしに再膨張することができる。別の可能性は、戻りバネのように機能するアコーディオン／ベローズ状の垂直側部を有するエアブラダーである。エアキャビティは、気密層の間の開容積部を密閉することにより形成されてもよく、あるいは、エアブラダー又はバルーン（風船）等で明白に定められてもよい。時折、ここに使用されるバルーンは、文脈で例外を示さない限り、気体で満たされた袋の広い意味で使用され、気体で満たされたときに目に見えて膨らむエラストマーの壁を有する袋に限定されない。
【００６０】
反応性を改善するために、屡々、空気作動式構造は、非作動モードにそれらを素早く復帰させることを助けるために偏向特性を含むことが望ましい。これら偏向特性は、独立要素（例えば、バネ、復元材料等）、又は、配列若しくは形成に使用される材料の種類によって提供される一体化要素であってもよい。別々の構成要素のコストなしに複数の特徴が設計される手段、又は、アセンブリの要求は、コストを削減することを助け、より広域な選択を可能とする。すなわち、ここに説明した実施形態及び特徴のいくつかは、性能強化及び耐久性の特性に向けられていることを特徴とするに加えて、コストを削減する。
【００６１】
最も好ましい遊戯システムでは、排他的ではないが、テーマ性を有するプラシ天の服飾品（例えば、フットウェア製品）に組み込まれるように設計され、子供によって装着及び操作され、低コスト、強化された性能を及び損傷への耐久性が全て重要な特性である。屡々、これら特性では、逆説的に、安易なコストの削減が性能を減少させ、損傷への抵抗を下げることに関連する。目的を持った設計が、本発明の実施形態のいくつかに存在する逆説的な関係に対抗する。本発明の好ましい実施形態の１つの実施例は、空気漏れの形成を想定すると共に漏れが起こった場合に壊滅的な損傷に抵抗する空気動力式システムを提供するために、この関連の設計の認識を含んでいる。
【００６２】
フットウェア製品の可能性の高い損傷の１つの主要な事象は、装着者がフットウェア製品を装着しつつ、素早く飛び上がり且つ飛び降りるシナリオを含んでいる。力強く且つ繰り返しジャンプすることは、エアキャビティから空気を排出する。最大圧力近傍での大量の空気の繰り返しの移動は、システムをこのような状況に準備が出来ていない状態にし、破裂させる傾向にある。不幸にも、結果として、破裂は、作動不能なアクチュエータを生み出し、劇的にそれらの遊戯機能、すなわち、形態の価値を減少させる。本発明の好ましい実施形態は、戦略的に、ワンウェイ（一方向式）及びブリードベント（抽気口、ｂｌｅｅｄ  ｖｅｎｔ）を他の特徴の中に組み込み、このような状況を改善することを助ける。
【００６３】
図１は、第１の空想に溢れる空気動力式能動フットウェア製品１００の分解斜視図である。フットウェア製品１００は、ここに説明される他のフットウェア製品のように、多くの異なるスタイルで実施され、且つ、多くの異なるテーマを組み込むことができ、そして、図１で示したテーマを有する「スリッパ」タイプの製品に使用されることに限定されない。フットウェア製品１００は、アウターソール１１０及びインソール１１５を含むソールに結合されたアッパー（靴の甲）１０５を有する。エアブラダー１２０又は空気容器は、キャビティを形成してそれをインソール１１５に密封することにより、アウターソール１１０内に定められる。（他の実施形態では、エアブラダー１２０は、ソールに配置された、またはソールに結合された分離した独立の構造であり、フットウェア製品１００の踏み付け又は重み付け／重みを除去する動作に応答する。）分離した独立のエアブラダー１２０なしに、アウターソール１１０及びインソール１１５は、閉セル又は他の空気不透過性材料から形成される。アウターソール１１０は、さらに、多数の選択的な弾性偏向（付勢）構造１２５を含み、それは、キャビティが踏み付け力の付加によって潰されたときに圧縮し、且つ、踏み付け力が除去されたときにキャビティを復元することを助けるように拡張する。このように、フットステップ等の重み付け及び重み付けの除去で、キャビティが潰れ、且つ、復元される。キャビティが潰れる度に、エアブラダー１２０が空気量を排出する。キャビティが復元される度に、エアブラダー１２０が空気量を吸入し、それによってそれ自身が補填される。「漏れ易い（ｌｅａｋｙ）」システムでは、フットウェア製品１００を包囲する外気から充填空気の少なくとも一部を受け取る。閉システムでは、空気が実質的に１つの場所から他の場所に移動される。
【００６４】
導管１３０がエアブラダー１２０に結合され、空気量をアクチュエータ１３５に結合する。導管１３０は、他種類の導管以外の非捻れ性のエアホース（空気管）のような細長い接続チャネルとして実施されることが好ましく、該エアチャネルは、エアブラダー１２０からアクチュエータ１３５までの空気量を導くことに使用可能である。好ましい実施形態の多くでは、アクチュエータ１３５は、アッパー１０５に結合される。好ましい実施形態では、フットウェア製品１００は、当該テーマに対応する能動（例えば、移動する）要素を含むことにより、遊戯のための空想的なテーマを含み、特には、遊戯のために少なくとも部分的にテーマを題材とする。好ましくは、導管１３０を介してエアブラダー１２０からアクチュエータ１３５に結合されたエア作用（ａｉｒ  ｅｆｆｅｃｔ）に反応して、動作が開始されて制御される。最も好ましくは、動作がアクチュエータ１３５に結合された構成要素を含むように実施され、作動モードの間に露出され、非作動モードの間に隠される。装着者が踏み付け（すなわち、エアブラダー１２０に重量付けする）、足上げ（すなわち、エアブラダー１２０への重量を除去する）動作をするとき、フットウェア製品１００が作動モード及び非作動モードの間で変化する。
【００６５】
フットウェア製品１００は、アクチュエータ１３５に結合される「目玉（ｅｙｅｂａｌｌ）」要素で示される。導管１３０及びアクチュエータ１３５（目玉を含む）が、少なくとも時間の一部でそれらが隠されていることを示す破線で示されている。導管１３０は、好ましくは、アッパー１０５内に通常隠されており、作動モードの間に目玉が露出され、続く非作動モードの間に再び隠される。フットウェア製品１００では、蓋１４０がアッパー１０５にヒンジ式に結合され、目玉を選択的に作動モード及び非作動モードの間にそれぞれ露出及び隠匿させる。
【００６６】
ここに説明した好ましい実施形態のフットウェア製品の構造及び動作の基本を説明した。フットウェア製品１００の「能動（ａｃｔｉｖｅ）」の質及び特徴が、追加の特徴によって改善され、結果として、重み付けに対するより素早く、完全な応答を実現し、エアブラダー１２０及び／又はアクチュエータ１３５を損傷（例えば、破裂）させる傾向を減少させ、これらの強化された特徴が安価で実施されることを可能とする。例えば、１つの性能の基準は、どれくらい迅速且つ完全にアクチュエータ１３５が「ステップ（ｓｔｅｐ）」等に応答するかに関する。さらに説明するとおり、ブリードバルブの好ましい実施形態への提供が、性能を改善し、損傷の虞を軽減させる。ブリードバルブは、エアブラダー１２０から移動した空気量が、アクチュエータ１３５の作動のために最小限必要な量よりも大きい（これは、ある場合、部分ステップがアクチュエータ１３５を完全に作動させることを意味する）。任意の追加の空気量は、ブリードベントを通して安全に迂回可能であり、損傷リスクを増加させ得る空気圧を減少させる。別の性能の基準は、アクチュエータ１３５自体を「リセット（ｒｅｓｅｔ）」する時間を含む。より望まれない選択肢は、再作動が為される試みの前にリセット及び／又は部分的にだけリセットされるのに、長い時間がかかりすぎることを含む。リセットに役立つ１つの特徴は、アクチュエータ１３５を収縮させることを助ける偏向機構を提供することである。フラップ１４０を追加してアッパー１０５に取り付けることにより、収縮を補助するように重力を使用する偏向機構を追加する。漏れやすいシステムで説明した追加の問題は、無造作に、連続的な踏み付け及び足上げが、結果として、アクチュエータ１３５を「ポンプアップ（ｐｕｍｐｉｎｇ  ｕｐ）」し、反応できなくなることである。ここに説明された戦略的に配置されたブリードバルブは、この現象の発生を減少させる１つの機構である。
【００６７】
好ましい実施形態は、圧力起因の劣化に抵抗するが、コストを減少させることがゴールの１つであると、いくつかの圧力起因の劣化がエアブラダー、導管又は空気動力式アクチュエータ内のどこかで起こる可能性がある。劣化は、システム内の漏れとして時折現れ、充填機構（例えば、ワンウェイバルブ）の適切な配置がエアブラダー１２０の完全且つ迅速な充填を確実にすることを助ける。
【００６８】
図２は、ここに説明した種類の空気動力式能動フットウェア製品の構成要素の平面図である。エアブラダーアセンブリ２００は、アウターソール２０５、トップソール２１０、エアブラダー２２０を包含するエアブラダーケーシング（包囲部）２１５を含む。アウターソール２０５及びトップソール２１０は、エアブラダーケーシング２１５に固定されて、エアブラダー２２０を内部に固定する。導管２２５は、エアブラダー２２０と接続され、エアブラダーケーシング２１５内の凹部２３０を通過する。選択的に、１又は複数のバルブ２３５がエアブラダー２２０内に含まれる。バルブ２３５は、好ましくは、ワンウェイバルブのタイプであり、この場合では、それらがエアブラダー２２０の内部及び外部への素早い吸入及び遅い解放をそれぞれ可能にする。バルブ２３５は、好ましい実施形態では、成形されたエアブラダー２２０内の簡易なクロスカット（十字の切り目）２４５である。クロスカット２４５に結合された選択的な小さい孔２４０（例えば、凹部の底に配置された）が、可変エアフローの制御を可能とする。閉モードのバルブ２３５１は、遅い解放のための選択的な小さい穴２４０を有する。開モードのバルブ２３５２は、空気吸入を増加させるためのより大きい開口（例えば、開クロスカット２４５）を有する。いくつかの実施形態では、クロスカット２４５は、頂部ソール２１０近傍のエアブラダー２２０の頂壁上に配置可能である。このように配置されたクロスカット２４５を覆う開セルフォーム又は他の空気透過材料の層を提供することにより、ワンウェイバルブの１つの実施例を提供する。クロスカット２４５を覆う頂部ソール２１０を踏み付けるユーザーは、効果的にバルブを密封して、クロスカット２４５を通して空気が解放されることを防止する。頂部ソール２１０の続く重み付け除去が、クロスカット２４５を解放し、空気がエアブラダー２２０に流れることを許容する。
【００６９】
代替的なエアブラダーアセンブリ２５０は、導管２２５をそれぞれ有する一対の独立したエアブラダー（前方エアブラダー２５５及び後方エアブラダー２６０）をエアブラダーケーシング２１５が収納することを除いて、エアブラダーアセンブリ２００の特徴を含んでいる。場合によっては、１又は複数の選択的な孔２６５は、追加の構造に使用可能であり、且つ、エアブラダー（例えば、エアブラダー２２０）の膨張に使用可能である。
【００７０】
図３は、第２の空想的な空気動力式能動フットウェア製品３００、その構成要素及びその動作の側面図及び正面図である。フットウェア製品３００は、異なるテーマ及び異なるテーマの動作を有するフットウェア製品１００と同様に構成される。フットウェア製品３００は、「子犬」のテーマを含み、該テーマの動作は、飛び上がる一対の耳３０５及び延びる（例えば、展開される）舌３１０を含む。フットウェア製品３００は、空気量を包含するエアブラダー３２０を包み込むソール３１５を含む。エアブラダー３２０を圧縮することにより、空気量が導管３２５を通して複数のアクチュエータ３３０（この特定のテーマの動作において各耳及び舌のような各可動要素のための１つのアクチュエータ３３０）に導かれる。耳３０５に使用されるような耳アセンブリ３３５が示すには、耳アクチュエータ３３０が一対のファブリック層３４０間に配置され、且つ、硬い作動要素支持部３４５が、作動モーションを増幅させることにより、一対のファブリック層３４０を移動させるように耳アクチュエータ３３０の膨張を可能にする。
【００７１】
図４は、図１及び図３に示した空想的な空気動力式能動フットウェア製品の正面図である。第１の空想的な空気動力式能動フットウェア製品１００は、非作動モード１００-----１、及び、重み付け又は踏み付けに応答した作動モード１００２を含む。第２の空想的な空気動力式能動フットウェア製品３００は、非作動モード３００１、及び、重み付け又は踏み付けに応答した作動モード３００２を含む。図５は、一対の異なるテーマ性を有する空想的な空気動力式能動フットウェア製品の正面図であり、第３の空想的な空気動力式能動フットウェア製品５００及び第４の空想的な空気動力式能動フットウェア製品５０５を含む。第３の空想的な空気動力式能動フットウェア製品５００は、非作動モード５００１、及び、重み付け又は踏み付けに応答した作動モード５００２を含む。第４の空想的な空気動力式能動フットウェア製品５０５は、非作動モード５０５１、及び、重み付け又は踏み付けに応答した作動モード５０５２を含む。フットウェア製品５００は、作動時に下に動く羽を含むペンギン／鳥のテーマの動作を含む。（これは、テーマの動作が作動時に構成要素を上げる他のテーマ動作とは反対であることを述べる。）また、フットウェア製品５０５は、よく知られたテーマ、例えば、ＳｐｏｎｇｅＢｏｂ  ＳｑｕａｒｅＰａｎｔｓ（登録商標）を含み、例えば、作動モード５０５２でバブルが膨張し、非作動モード５０５１でそれが収縮する動作テーマを含んでもよい。
【００７２】
図６は、一対の異なるテーマ性を有する空想的な空気動力式能動フットウェア製品であり、第５の空想的な空気動力式能動フットウェア製品６００及び第６の空想的な空気動力式能動フットウェア製品６０５を含む。第５の空想的な空気動力式能動フットウェア製品６００は、非作動モード６００１、及び、重み付け又は踏み付けに応答した作動モード６００２を含む。第６の空想的な空気動力式能動フットウェア製品６０５は、非作動モード６０５１、及び、重み付け又は踏み付けに応答した作動モード６０５２を含む。フットウェア製品６００は、作動時に下に動く羽を含むペンギン／鳥のテーマの動作を含む。フットウェア製品６００は、マペット  オスカー（Ｍｕｐｐｅｔ  Ｏｓｃａｒ）ゴミ箱のテーマを含み、該テーマは、ゴミ箱の蓋が上がり、内部のオスカーが現れるように開くというテーマ動作を有する。フットウェア製品６０５は、変形のテーマを含み、該テーマは、葉っぱ上の芋虫が（例えば、「展開（ｕｎｒｏｌｌｉｎｇ）」することにより）変形して美しい蝶を形成するというテーマ動作を有する。
【００７３】
図７は、一対の異なるテーマ性を有する空想的な空気動力式能動フットウェア製品であり、第７の空想的な空気動力式能動フットウェア製品７００及び第８の空想的な空気動力式能動フットウェア製品７０５を含む。第７の空想的な空気動力式能動フットウェア製品７００は、非作動モード７００１、及び、重み付け又は踏み付けに応答した作動モード７００２を含む。第８の空想的な空気動力式能動フットウェア製品７０５は、非作動モード７０５１、及び、重み付け又は踏み付けに応答した作動モード７０５２を含む。フットウェア製品７００は、蝶のテーマを含み、該テーマは、（例えば、下方への）蝶の羽ばたきの羽を含むテーマ動作を有する。フットウェア製品７０５は、ヘリコプターのテーマを含み、該テーマは、ヘリコプターの主ロータが作動に応答して回転するというテーマ動作を有する。いくつかの実施形態では、動作時に一方向に主ロータをスピンさせ、非作動時に他方向に主ロータをスピンさせることが望ましい。（他の実施形態では、主ロータが非作動ステップの間、反対方向にスピンされなくてもよく、すなわち、主ロータが非作動時に同方向にスピンしてもよい。）
【００７４】
図８は、一対の異なるテーマ性を有する空想的な空気動力式能動フットウェア製品であり、第９の空想的な空気動力式能動フットウェア製品８００及び第１０の空想的な空気動力式能動フットウェア製品８０５を含む。第９の空想的な空気動力式能動フットウェア製品８００は、非作動モード８００１、及び、重み付け又は踏み付けに応答した作動モード８００２を含む。第１０の空想的な空気動力式能動フットウェア製品８０５は、非作動モード８０５１、及び、重み付け又は踏み付けに応答した作動モード８０５２を含む。フットウェア製品８００は、咲いた花のテーマを含み、該テーマは、閉じた花が作動時に開く花びらを有するような、花びらの動きを含むテーマ動作を有する。フットウェア製品８０５は、自動車（例えば消防車）のテーマを含み、該テーマは、作動に応答した消防車の車輪の回転を含むテーマ動作を有する（例えば、各作動及び非作動が同様に車輪を回転させることができる）。
【００７５】
前述したとおり、いくつかの実施形態は、エアキャビティから空気が排出されることによって作動される１又は複数のスピン要素を含む。図９は、ここに説明したテーマ性を有する空想的な空気動力式能動フットウェア製品で使用するための代表的な回転空気動力式アクチュエータの右面及び左面を示す。スピン／回転要素は、複数の異なる方法で作動可能であり、回転されるべき要素に結合された１又は複数の作動羽根に対して排出する気流を向けることを含む。例えば、空気動力式回転作動アセンブリ９００は回転要素９０５を有しており、空気量がノズル９１０から排出されて、排出された空気量を受ける面に配置された１又は複数の作動羽根９１５に当たる。排出された空気が羽根に当たることにより、回転要素を回転させる。
【００７６】
図１０〜図１７は、本発明の好ましい実施形態の構造的及び動作的な詳細を付加的に示している。図１０は、代表的なフットウェア製品１０００の断面図であり、該フットウェア製品１０００は、空気作動遊戯システム１００５の代表的な設置を含む。
【００７７】
空気作動式遊戯システム１００５のさらなる詳細が図１１〜１７に示されているが、空気作動式遊戯システム１００５は、フットウェア製品１０００のソール１０１５の一部又は全体に配置されたエアブラダー１０１０を含む。能動要素、すなわち空気動力式アクチュエータ１０２０は、気流、空気圧等（まとめてここではエア効果）に反応し、且つ、フットウェア製品１０００の頂部に固定され、又は、頂部内に組み込まれる。非捻れ性のエアホース１０２５が、エアブラダーを動作要素に結合して、エアブラダー１０１０と能動要素との間にエア効果を導くためのエアチャネルを定める。装着者が足にフットウェア製品１０００を配置して踏み込むとき、足が歩行面に対してエアブラダー１０１０を圧縮して、エア効果を形成する。該エアチャネルがこれらエア効果を作動のために能動要素に連絡する。
【００７８】
エアブラダー１０１０は、流体（例えば、空気）容器であり、該容器は装着者のステップに応答して所望のエア効果量の形成のための所望の空気容積を含有する。それは、踏まれ、且つ、破裂することなく収縮（縮小）及び膨張（拡張）の多くのサイクルを有するように、十分に丈夫である。
【００７９】
好ましい実施形態では、いくつかの実施例において、各エアブラダー１０１０内で校正された空気が存在する。空気容積は、適切且つ完全な能動要素の作動のために必要な空気容積に一般的に適合するように設計される。いくつかの能動要素にとって、非常に多い空気量に応答して非弾性変形及び膨張可能であってもよい。時間をかけて、このような能動要素は、完全に作動するために、エアブラダーから供給されるよりも多くの空気を必要とする。すなわち、能動要素に対して調整されていない空気量は、時間をかけて、ユーザーの経験を劣化させる。ある場合では、特に装着者が精力的に気流を排出した場合、エアブラダー内の空気容積と能動要素の容積との間の著しい不整合が、結果として、能動要素の破裂を引き起こす。しかしながら、他の実施形態では、アクチュエータ１０２０が、拡張可能な作動構造を含むことができ、それは、空気容積／圧力差にすぐに適応するように設計可能である。
【００８０】
図３１は、宇宙人のテーマの能動フットウェア製品３１００を示し、該フットウェア製品３１００は、非膨張能動要素を一対の宇宙人の目３１０５の形態で含む。非膨張の実施形態では、宇宙人の目３１０５は、図１０のエアブラダー１０１０に結合され、収縮したエアブラダーを丁度作動させる（例えば、満たす）（外方に視覚化された「目玉」として記載される）ために必要な空気量に適切に適合することを提供すべく、エアブラダー１０１０からの空気量が調整される。これは、能動要素を（結果として、歪み及び続く作動における不適切な作動を生じ得る）致命的に過充填／非弾性伸張させないで、宇宙人の目３１０５が起き上がり、立ち上がることを意味する。左面図は、非作動状態のフットウェア製品３０００１を示し、能動要素が作動していない。そして、右面図は、作動状態のフットウェア製品３０００２を示し、能動要素が、目立った膨張が起こらない「ぴったり充填された（ｊｕｓｔ  ｆｉｌｌｅｄ）」状態にある。図３２は、第２の宇宙人のテーマの能動フットウェア製品３２００を示し、当該フットウェア製品３２００は、子供用スリッパで実施された図３１の非膨張能動要素の実施を含む。フットウェア製品３２００は、一対の非拡張性の宇宙人の目３２０５の異なる実施例を含む。宇宙人の目３１０５及び３２０５は、図１６に示されたグーグル目の宇宙人の実施例とは異なる機能の能動要素である。
【００８１】
図１０は、例えば、充填機構１０３０を示し、それは例えば、エアチャネル内に配置されたワンウェイバルブ等である。例えば、ワンウェイバルブは、エアホース１０２５内に示されているが、他の位置のエアブラダー１０１０又は能動要素内で実施可能である。充填機構１０３０は、装着者が地面から足を上げたとき、エアブラダー１０１０が膨張し、且つ、その容積を空気で満たすことを可能とする。好ましくは、充填機構１０３０は、エアブラダー１０１０内へのエアフローに対するほぼ０の抵抗を提供し、非常に簡易な手段（例えば、潰れたチューブ等が、一方向へのエアフローを禁止するが、反対方向にエアフローへの抵抗をほとんど提供しない）で実施されてもよい。その後、エアブラダー１０１０は、装着者による他のステップ時に、別の気流を能動要素に形成することができる。ワンウェイバルブとして実施されるとき、充填機構１０３０は、足が上げられたときにエアチャネルを通してエアブラダー１０１０内にエアフローを許容し、足が地面に置かれたときにエアチャネルから空気が逃げることを抑止する。
【００８２】
能動要素は、非常に多様な可能性のある実施例のスタイル及び選択肢を有し、ここに開示及び説明されるのはその極僅かなサンプルである。能動要素は、１又は複数の作動可能な要素を含んでもよく、それは、動き、音、におい、視覚又は他の感覚刺激等で反応する。好ましい実施形態では、能動要素は、エアチャネルにおけるエア効果によって開始されたエア効果に反復的に応答するために実施される。それ（それら）自体の基本構造は、典型的には、水圧駆動としての空気効果を利用して、又は、他の機械的力を提供する多くの異なる手段で実施されてもよい。当然、エア効果は、スイッチ制御電動アクチュエータ等へのスイッチ入力として使用されてもよく、この場合、エネルギー貯蔵装置（例えば、バッテリ）及び電気機械的特徴が能動要素の一部として実施される。
【００８３】
いくつかの場合では、能動要素は、直接的に体験される（例えば、能動要素自体が、コイル状の舌として実施され、それは気流に応答して展開され、エアブラダーが充填されたときに再び巻かれる。）。他の場合では、能動要素は、基礎及びファザード（正面構造）もしくは、能動装置の構造及び動作を覆う他の接合部である（例えば、舌が空想的な外観のカバーを有し、所望の見た目を舌に提供し、内部構造がエア効果に応答する）。外観のカバーを内部構造に選択的に結合することにより、内部構造がエア効果に応答するとき、外観カバーが同様に応答する。多くの能動要素では、本質的に２つのモード：非作動状態及び作動状態が存在する。
【００８４】
能動要素のタイプ、及び、踏み付け及び足上げにどのくらい素早く応答するかを含む多くの要因に応じて、作動状態から非作動状態まで能動要素が戻ることを助けるように、能動要素のための偏向（付勢）機構を実施することが必要であり、又は、望ましいかもしれない。偏向機構は、能動要素に付加された補助的構造であってもよく、あるいは、偏向機構が能動要素の設計中に直接統合されてもよい。図１０は、縫い目１０３５を使用する能動要素の取り付け部を含み、該縫い目１０３５は、閉（例えば、非作動）モードにシステムを変更するように設計され、且つ、選択的にここに説明されるとおり、復元塑性支持部（ｍｅｍｏｒｙ  ｐｌａｓｔｉｃ  ｓｕｐｐｏｒｔ）である。
【００８５】
偏向機構の理由は、空気をエアチャネルから追い出すことを助けて、能動要素が非作動モードに移行することを可能にすることである。いくつかの例では、能動要素は、バルーン、エアブラダー、袋又はエアキャビティを定める他の容器を含み、エアブラダーからの空気の流入が、所望の結果を生じさせるように、拡張、膨張、増大、又は充足する。それは作動モードである。非作動モードに戻すように移行させるべく、能動要素内の該容器は空である必要がある。より素早く、容器が空になり、能動要素が非作動モードに移行すると、より素早く、能動要素が再作動可能となる。
【００８６】
偏向機構は、作動した能動要素に対して重力で働きかけることができる。例えば、いくつかの例では、作動モードは、擬似の「耳」が立つことを含む。耳を下げ戻す重力が、容器を収縮させ、あるいは、エアブラダーからの作動力に対抗するように働く。他の偏向機構は、非作動モードを「覚えている」ように形成された復元（記憶）材料を含む。エア効果は、能動要素を作動させるように、復元材料の非作動の復元維持力に対抗するのに十分な制御を発揮する。エア効果力が減少すると、復元材料は、能動要素を非作動モードに復元する。他のバネ、弾性要素及び弾性構造及び材料が戦略的に使用可能であり、適切な偏向機構を提供して（及び／又は任意の元来の偏向機構を引き上げ）、作動モードから非作動モードへの移行を改善する。
【００８７】
図１１は、図１０に示したフットウェア製品１０００に使用可能であるような、空気作動式遊戯システム１１００の詳細を示している。空気作動式遊戯システム１１００は、糊付け／熱融着（ヒートシール）された３層ポリエステルフィルム（例えば、マイラー（Ｍｙｌａｒ、登録商標）等）（第１フィルム層１１０５、第２フィルム層１１１０及び第３フィルム層１１１５）の実施例を含み、復元塑性戻りバネ１１２０のためのスリーブを形成する。さらに、図１１に示されるのは、充填機構１０３０のような充填機構１１３０に加えて（いくつかの実施形態では代わりになることが可能であるが）、エアブリードベント１１２５を使用することである。いくつかの実施形態では、エアブリードベント１１２５は、いくつかの追加の機能を提供するように存在可能（意図的に、又は、能動要素の完全でない密封を許容する製造仕様によって）であり、当該機能は、破裂する膨張、及び、能動要素を歪めて続くサイクルを危うくする非弾性過膨張に対する保護を助けることを含む。例えば、エアブラダーは、特定の空気量を各ステップで移動させ、且つ、空気がアクチュエータまでのその行程でワンウェイバルブを通過する。また、アクチュエータが空気解放ベントを含み、当該空気解放ベントは、エアブラダーが押圧される間にゆっくりと空気を「抽気（ｂｌｅｅｄ）」することを開始させ、そして、（アクチュエータを素早くリセットし、空気の次のサイクルに準備するために）エアブラダーが解放されたとき、空気が素早くワンウェイバルブの外に排出される。
【００８８】
フィルム層が周縁１１４０の周囲にシール（封着）され、第１フィルム層１１０５及び第２フィルム層１１１０の間のエアキャビティ１１４５を形成し、そして、第２フィルム層１１１０及び第３フィルム層１１１５の間にスリーブを形成する。コネクタ１１３５がエアキャビティ１１４５内にシールされ、且つ、充填機構１１３０をエアキャビティ１１４５に接続する復元塑性戻りバネ１１２０に結合される。いくつかの実施例では、環境条件（例えば、熱、湿度等）、あるいは、動作を阻害する虞があり、場合によっては、作動起因の漏れ及び／又は裂けのリスクを増加させる他の要因に応じて簡易フィルム層が「粘着性（ｓｔｉｃｋｙ）」であってもよい。１つの解決手段は、別のフィルム層に接触する「凍結（ｆｒｏｓｔ）」又はテクスチャ（ｔｅｘｔｕｒｅ）をフィルム層に提供することである。
【００８９】
空気作動式遊戯システム１１００は、３つのモード：収縮閉モード１１００１における側面視、部分的に膨張／開モード１１００２における側面視、及び、完全に膨張／開モード１１００３の平面視で示される。さらに、空気作動式遊戯システム１１００は、フットウェア製品のヒンジ領域に接続するために使用される一対の取り付け孔１１５０を示している。
【００９０】
図１２は、図１０に示したフットウェア製品１０００に使用可能であるような、空気作動式遊戯システム１２００の詳細を示している。空気作動式遊戯システム１２００は、復元塑性戻りバネ１２１０に結合された膨張バルーン１２０５を含み、両方が外部スリーブ１２１５に包囲されている。戻りバネ１２１０は、閉動作にバネで戻るためのリビングヒンジとして動作するように曲げられる。コネクタ１２２０は、エアホース１２２５を膨張バルーン１２０５に接続する。取り付けバンド１２３０（例えば、ゴムバンド等）は、スリーブ１２１５／膨張バルーンの基部をコネクタ１２２０及び戻りバネ１２１０の一端に固定及びシール（封着）することを助ける。取り付けステイプル１２３５は、スリーブ１２１５の反対端を戻りバネ１２１０の反対端に固定する。
【００９１】
空気作動式遊戯システム１２００は、３つのモード：収縮閉モード１２００１における側面視、部分的に膨張／開モード１２００２における側面視、及び、完全に膨張／開モード１２００３の平面視で示される。さらに、空気作動式遊戯システム１２００は、ヒンジ領域に接続するために使用される一対の取り付け孔１２４０を示している。
【００９２】
膨張バルーン１２０５のエア効果の作動が、空気作動式遊戯システム１２００を収縮閉モード１２００１から部分的な膨張／開モード１２００２に移行させる。膨張バルーン１２０５の膨張が、戻りバネ１２１０を操作し、完全な膨張／開モード１２００３を形成するようにそれを真っ直ぐにし、これにより、踏み付け又は重み付けに応答してフットウェア製品上の装置を作動させる。足上げ又は重み除去が、結果として、膨張バルーン１２０５を収縮させ、戻りバネ１２１０がフットウェア製品を収縮閉モード１２００１に戻ることを助ける。
【００９３】
図１３は、図１０に示したフットウェア製品１０００に使用可能であるような、空気作動式遊戯システム１００５の詳細を示している。空気作動式遊戯システム１００５は、外部復元塑性戻りバネ１３１０を有するバルーン１３０５を含み、当該外部復元塑性戻りバネ１３１０は、３つの弾性バンド１３１５（第１弾性バンド１３１５１、第２弾性バンド１３１５２（任意）及び第３弾性バンド１３１５３）を使用して取り付けられる。図１４は、図１３の外部復元塑性戻りバネ１３１０の図である。外部復元塑性戻りバネ１３１０は、閉動作にバネで戻るためのリビングヒンジとして動作し、その屈曲状態でその「復元（ｍｅｍｏｒｙ）」が始まる。コネクタ１３２０は、エアホース１０２５を充填機構１０３０からバルーン１３０５内に接続する。弾性バンド１３１５は、バルーン１３０５及びコネクタ１３２０を外部復元塑性戻りバネ１３１０に固定する。中間弾性バンド（すなわち、第２弾性バンド１３１０２）は、バルーン１３０５の適切な膨張を禁止／防止可能であるほどには、きつすぎない。前述したとおり、第２弾性バンドは、選択的であり、且つ、特定実施例では存在しなくてもよい。図１３では、アクチュエータ１０２０（図１０参照）は、外部復元塑性戻りバネ１３１０に固定されたバルーン１３０５によって実行される。
【００９４】
また、図１３にも示されているのは、充填機構１０３０の構成要素の分解図である。充填機構１０３０は、開口１３５０、ファブリック層１３５５、ゴムダイヤフラム１３６０及びキャップ１３６５を含む。ファブリック層１３５５は、充填機構１０３０を通して一方向の空気漏れ／気流を許容する。
【００９５】
空気作動式遊戯システム１００５は、３つのモード：収縮閉モード１００５１における側面視、部分的に膨張／開モード１００５２における側面視、及び、完全に膨張／開モード１００５３の平面視で示される。さらに、空気作動式遊戯システム１００５は、ヒンジ領域に接続するために使用される一対の取り付け孔１３７０を示している。
【００９６】
膨張バルーン１３０５のエア効果の作動が、空気をバルーン１３０５内に流入し、それを膨張させることなどにより、空気作動式遊戯システム１００５のために、収縮閉モード１００５１を部分的な膨張／開モード１００５２に移行させる。バルーン１３０５の膨張は、外部復元塑性戻りバネ１３１０を操作し、完全な膨張／開モード１００５３を形成するようにそれを真っ直ぐにし、これにより、踏み付け又は重み付けに応答して、フットウェア製品１０００上の装置（例えば、耳）を作動させる。足上げ又は重み付けの除去により、結果としてバルーン１３０５及び外部復元塑性戻りバネ１３１０が収縮し、且つ、外部復元塑性戻りバネ１３１０が、フットウェア製品１０００を収縮閉モード１００５１に戻すことを助ける。
【００９７】
図１５は、ここに説明したアクチュエータ及び空気作動式遊戯システムに使用されるような、選択的なバルーン機構１５００を示す。選択的なバルーン機構１５００は、一対のシールされた（例えば、糊づけ）柔軟層１５０５を含み、当該柔軟層１５０５はその間にエアキャビティ１５１０を定める。層１５０５は、任意の適切な柔軟性（可撓性）、非多孔性材料であってもよい。（伸張可能なデザインのため、弾性高分子等が使用され得る。）選択的なファブリック１５１５のストリップ（細長い片）は、コネクタ１５２０から空気解放ベント１５２５へと長手軸の下方に延びている。選択的なバルーン機構１５００は、ワンウェイバルブ１５３０（例えば、ここに説明した充填機構１０３０及び充填機構１１３０を参照されたい）及び１又は複数の取り付け孔１５３５をさらに含む。
【００９８】
選択的なファブリック１５１５のストリップは、エアキャビティ１５１０が収縮するときに空気を逃避させるためにエアチャネルをエアキャビティ１５１０内に存在させる。空気解放ベント１５２５は、コネクタ１５２０によって定められる空気入力端からエアキャビティ１５１０の遠位端で配置される。このように、空気解放ベント１５２５は、選択的なバルーン機構の素早い膨張を明白に阻害することなく、過圧破裂に対して保護することを助け、且つ、素早い再作動のための準備において、作動した装置を非作動モードにリセットすることを助ける。
【００９９】
図１６は、能動要素のための熱可塑性ゴム（ｔｈｅｒｍｏｐｌａｓｔｉｃ  ｒｕｂｂｅｒ，ＴＰＲ）の実施例の第１のセットを示す。ここに使用されるＴＰＲは、熱可塑性エラストマー及びコポリマー等を含み、熱可塑性及び弾性特性の両方を有する。該セットは、「バブル（例えば、拡大／縮小する魚の泡）」を模した第１能動要素１６００１、「目玉（例えば、拡大／縮小する目玉のバルーン）」を模した第２能動要素１６００２、及び、グーグル目の宇宙人（例えば、膨張／収縮する目玉の茎）を模した第３能動要素１６００３を含む。
【０１００】
第１能動要素１６００１は、エアポート１６１０に取り付けられたＴＰＲバルーン１６０５１を含む。ＴＰＲバルーン１６０５１内に配置された内部凹部１６１５１は、ＴＰＲバルーン１６０５１が同じ位置から毎サイクル拡張することを確実にすることを助ける。ＴＰＲバルーン１６０５１は、膨張状態がフットウェア製品、すなわち拡大したバブルのための所望の効果を提供することを確実にするように構成される。
【０１０１】
第２能動要素１６００２は、エアポート１６１０に取り付けられたＴＰＲバルーン１６０５２を含む。ＴＰＲバルーン１６０５２内に配置された内部凹部１６１５２は、ＴＰＲバルーン１６０５２が同じ位置から毎サイクル拡張することを確実にすることを助ける。ＴＰＲバルーン１６０５２は、膨張状態がフットウェア製品、すなわち拡大した目玉のための所望の効果を提供することを確実にするように構成される。凹部１６１５２は、構造を拡大させるために重要であり、該構造は、不適切な拡張点（例えば、目玉）から拡大されたとき歪んで見え得る。
【０１０２】
第３能動要素１６００３は、非拡張性のＴＰＲバルーン１６０５３を含む。ＴＰＲバルーン１６０５３は、エアブラダーに接続された任意のコネクタに結合され、作動モード（例えば、直立する）と非作動モード（例えば、一方の側方に横たわる）との間を移行するときに異なる所定の設定の間を移動するように構成されている。ヒンジ領域１６２０は、ＴＰＲバルーン１６０５３がモード間を移行するときに所望の形態を示すことを確実にすることを助ける。
【０１０３】
図１７は、能動要素のための熱可塑性ゴム（ＴＰＲ）実施例の第２セットを示す。該第２セットは、巻かれる「舌（例えば、巻き上がる／巻き出る舌）」を模した第１能動要素１７００１、上下に動く要素（例えば、拡張／縮小する羽、手足、生育、又は、ドア、ハッチ、ポータル等）を模した第２能動要素１７００２を含む。第１能動要素１７００１は、エアポート１７１０に取り付けられたＴＰＲバルーン１７０５１を含む。ＴＰＲバルーン１７０５１は、膨張時に巻き出て、伸びた舌１７１５を提供し、収縮時に巻き取られ、引っ込んだ舌１７２０を提供する。第２能動要素１７００２は、エアポート１７１０に取り付けられたＴＰＲバルーン１７０５２を含む。ＴＰＲバルーン１７０５２は、膨張時に開いて延在した構造１７２５を提供し、収縮時に閉まって後退した構造１７３０を提供する。
【０１０４】
ＴＰＲ及びこの分類の他の材料の１つの利点は、それらがより良好な「復元」を含み、且つ、能動要素の完全性を阻害するリスクを減少させて、伸張及び膨張可能であることである。弾性、非変形膨張を含む能動要素の場合、エアブラダーは、弾性変形可能な能動要素と比較して、異なる（例えば増加した）空気量を提供するように調整される。
【０１０５】
説明したとおり、第１能動要素１７００１及び第２能動要素１７００２は、遊戯システムでの直接の使用のために視覚的に修正された非作動要素として示されて説明される。これら構造の１つの利点は、それらが自己偏向特性を含み、追加の復元バネ等が、非作動時に収縮を助けるのに必要でないことである。他の実施形態は、作動能動要素として第１能動要素１７００１及び第２能動要素１７００２の変形例を使用してもよい。さらに、これら要素は、多くの異なる手段で構築されてもよい。安価な作動能動要素の１つの変形は、ブロー成形ブラダーを含み、第２能動要素１７００２の視覚化と同様に、そこでは、熱等が使用されて、ブラダーを非作動モードに相応しい「復元された（ｍｅｍｏｒｉｚｅｄ）」構成へと実行する。このブラダーへのエア効果の作用は、それを真っ直ぐにして作動モードにし、該作動モードは、作動させるエア効果が解除されたときに非作動モードへ自動的に移行する。
【０１０６】
図３８は、ここに説明したテーマ性を有するフットウェア製品のような、テーマを有する空想的な空気動力式能動服飾品で使用するための第９のタイプの空気動力式アクチュエータ３８００の１組の図である。空気動力式アクチュエータ３８００（空気作動式遊戯システム１１００の変形）は、糊付け／溶接／熱融着された３層ポリエステルフィルム（例えば、マイラー（Ｍｙｌａｒ、登録商標）等）（第１フィルム層３８０５、第２フィルム層３８１０及び第３フィルム層３８１５）の実施例を含み、エアキャビティ３８２０（非伸縮性）及び復元塑性戻りバネ３８３０のための部分スリーブ３８２５を形成する。ここに説明した充填機構に加えて（いくつかの実施形態では、それに代わることができるが）、ブリードベント３８３５を使用することが図３８に追加的に示される。
【０１０７】
フィルム層が周縁３８４０の周囲でシールされ、第１フィルム層３８０５及び第２フィルム層３８１０の間のエアキャビティ３８２０を形成し、そして、第２フィルム層３８１０及び第３フィルム層３８１５の間にスリーブを形成する。コネクタ３８４５がエアキャビティ３８２０内にシールされ、且つ、導管３８５０（例えば、非捻れ性のエアホース等）に結合される。好ましくは、コネクタ３８４５／導管３８５０が、それらを一緒に結合すること、例えば、弾性バンド３８５５等を使用してそれらを取り付けること等によって、復元塑性戻りバネ３８３０に登録される。
【０１０８】
空気作動式遊戯システム３８００は、２つのモード：部分的な膨張／開モード３８００１における側面視及び正面視、並びに、完全な膨張／開モード３８００２の正面視で示される。さらに、完全な膨張／開モード３８００２は、例えば、フットウェア製品等の空気作動式遊戯システム３８００が組み込まれる物体の作動可能な構成要素に接続するために使用される一対の取り付け孔３８００を示している。
【０１０９】
部分的なスリーブ３８２５は、復元塑性戻りバネ３８３０を保持する。部分的なスリーブ３８２５は、空気作動式遊戯システム３８００が「ヒンジ接続」（例えば、屈折する）される領域において、第３フィルム層３８１５内にギャップ領域を提供することにより形成され、反復起因の損傷を減少させる。
【０１１０】
動作において、空気作動式遊戯システム３８００は、復元塑性戻りバネ３８３０が屈折／折り畳み構成を覚えているように構築される。復元塑性戻りバネ３８３０が部分スリーブ３８２５内に配置されていることにより、空気作動式遊戯システム３８００が、「自然な（ｎａｔｕｒａｌ）」非作動の閉配置を有する。この非作動閉配置では、エアキャビティ３８２０がほとんど完全に潰れている。（実質的に、幾分かの残留空気が存在し、注記すべきであるが、いくつかの応用では、応答性がエアキャビティ３８２０を完全に空にしないことによって改善される。）コネクタ３８４５が復元塑性戻りバネ３８３０に結合される近位端は、取り付け孔３８６０が提供される遠位端に一般的に近接している。潰れた状態では、層が平坦であり互いに重なりあっているので、空気作動式遊戯システム３８００の「幅」が最大である。
【０１１１】
作動時、空気がエアキャビティ３８２０に入り、非伸縮性の膨張を引き起こす。この結果、エアキャビティ３８２０が柔軟な（例えば、平坦且つ屈折可能な）構造から一般的に丸く硬直した構造へと移行するため、空気作動式遊戯システム３８００の有効幅が減少する。前面視は、例示のこの幅の変化を示している。空気作動式遊戯システム３８００を開放／閉塞するエアキャビティ３８２０の膨張／収縮に応答し、結果として、復元塑性戻りバネ３８３０が部分スリーブ３８２５内に移動する。これは、完全な膨張／開モード３８００２に示されており、復元塑性戻りバネ３８３０の端部と近位端との間隔が変化する。図３８に示すような特定の構成では、空気作動式遊戯システム３８００が閉じると、この間隔が縮む。すなわち、装置が開いて閉まると、部分スリーブ３８２５が、復元塑性戻りバネ３８３０に対して相対移動する。この相対移動が、適切な動作（例えば、開閉）を阻害し、ストレスを通して損傷（例えば、エアキャビティ３８２０内の意図しない裂け目や穴の導入）のリスクを増加させるような問題となり得る。好ましい実施形態は、ここに述べた相対的な寸法変化に対処するために、復元塑性戻りバネ３８３０に対する部分スリーブ３８２５の横方向の端部間隔を提供する。
【０１１２】
図１８〜図３０は、開示した好ましい実施形態の選択された１つの代表的な実施例の追加の図面である。図１８は、対応する異なる能動要素と共に異なるテーマ及びテーマ動作を有する広範囲のフットウェア製品のための工業デザインのセットを示す。
【０１１３】
図１９は、模擬的な耳に組み込まれた能動要素を有する非作動のフットウェア製品を示す。図２０は、作動モードにおける図１９のフットウェア製品を示し、そこでは模擬的な耳がフットウェア製品の本体から上方に延び出ている。
【０１１４】
図２１は、模擬的な前脚に組み込まれた能動要素を有する非作動のフットウェア製品を示す。図２２は、作動モードにおける図２１のフットウェア製品を示し、そこでは模擬的な前脚がフットウェア製品の本体から外方に延び出ている。
【０１１５】
図２３は、模擬的な目蓋に組み込まれた能動要素を有する非作動のフットウェア製品を示す。図２４は、作動モードにおける図２３のフットウェア製品を示し、そこでは模擬的な目蓋がフットウェア製品の本体から開いて目を露出する。
【０１１６】
図２５は、模擬的な頭に組み込まれた能動要素を有する非作動のフットウェア製品を示す。図２６は、作動モードにおける図２５のフットウェア製品を示し、そこでは頭がフットウェア製品の本体から上方に開いて、一組の目を露出する。
【０１１７】
図２７は、模擬的な口に組み込まれた能動要素を有する非作動のフットウェア製品を示す。図２８は、作動モードにおける図２７のフットウェア製品を示し、そこでは模擬的な口がフットウェア製品の本体から上方に開いて、舌及び他の口の内部要素を露出する。
【０１１８】
図２９は、模擬的な耳に組み込まれた能動要素を有する非作動のフットウェア製品を示す。図３０は、作動モードにおける図２９のフットウェア製品を示し、そこでは模擬的な耳がフットウェア製品の本体から上方に延び出て、非作動モードにおけるも模擬的な耳によって覆われた、先に隠された顔の特徴を露出する。
【０１１９】
図３３及び図３４は、フットウェア製品３３００のための複数ブラダーの実施形態を示す。図３３は、前方エアブラダー３３０５及び独立式に動作可能な後方エアブラダー３３１０を含むフットウェア製品３３００を示している。「舌」３３１５は、前方エアブラダー３３０５から作動され、且つ、一対の耳３３２０が後方エアブラダー３３１０から作動される。前方エアブラダー３３０５及び後方エアブラダー３３１０の両方がソール３３２５に配置される。図３４は、３つのモード（左から右に）：第１モードのフットウェア製品３３００１−非作動モード（舌が引っ込み、耳が下がっている）、第２モードのフットウェア製品３３００２−耳作動モード（舌が引っ込み、耳が上がっている）、第３モードのフットウェア製品３３００３（舌が延び出て、耳が下がっている）の能動要素の独立の動作を示す。また、ユーザーにとって、独立性が存在しているので、前方エアブラダー３３０５及び後方エアブラダー３３１０の両方から空気を排出することにより、舌を延ばし、耳を上げることも可能である。
【０１２０】
図３５〜図３７は、テーマ性のあるフットウェア製品の追加の別実施形態である。図３５は、空想的な恐竜の非作動及び作動モードを示す。空想的な交流は、模擬的な口を能動要素として使用する。非作動の要素では、口が閉じており、且つ、作動時の要素では、口が開いている。
【０１２１】
図３６は、空想的なドラゴンのための非作動及び作動モードを示す。空想的なドラゴンは、能動要素として模擬的な舌を使用する。非作動要素では、舌が口の内側に巻かれており、且つ、作動要素では、巻かれていない舌が口の外に延び出ている。
【０１２２】
図３７は、空想的な魚のための非作動及び作動モードを示す。空想的な魚は、能動要素として模擬的なバブルを使用する。非作動要素では、バブルが収縮して口の中に隠れ、且つ、作動要素では、バブルが膨張して口の外に拡張している。
【０１２３】
本書面中の説明では、本発明の実施形態を完全に理解してもらうために、数々の特定の詳細、例えば、要素の例および／または方法の例などが提示されている。しかし、当業者は、本発明の実施形態を、これらの１つまたは複数の特定的な詳細なしでも実施することができ、他の器械、システム、アセンブリ、方法、要素、材料および／または部品などを用いても実施することができるであろうことを認識するであろう。他の例では、本発明の実施形態の態様を曖昧にしないために、周知の構造、材料または操作は、具体的には示さず、または詳細に記載していない。
【０１２４】
本明細書を通じて、“ｏｎｅ  ｅｍｂｏｄｉｍｅｎｔ（１つの実施形態）”、“ａｎ  
ｅｍｂｏｄｉｍｅｎｔ（ある実施形態）”または“ａ  ｓｐｅｃｉｆｉｃ  ｅｍｂｏｄｉｍｅｎｔ（特定の実施形態）”との言及は、実施形態に関連して記載された特定の特長、構造または特性が、本発明の少なくとも１つの実施形態中で含まれるが、全ての実施形態では必要がないことを意味する。したがって、“ｉｎ  ｏｎｅ  ｅｍｂｏｄｉｍｅｎｔ（１つの実施形態において）”、“ｉｎ  ａｎ  ｅｍｂｏｄｉｍｅｎｔ（ある実施形態において）”、“ｉｎ  ａ  ｓｐｅｃｉｆｉｃ  ｅｍｂｏｄｉｍｅｎｔ（特定の実施形態において）”との語句が、本明細書の様々な箇所で現れる場合は、それぞれが、同じ実施形態を言及しているわけではない。さらに、本発明の任意の特定の実施形態の特定の特長、構造または特性は、適切な方法で、他の１つまたは複数の実施形態と組み合わせ可能である。本書面中で記載され例示された本発明の実施形態のこれ以外の変形例および変更例は、本書面中の教示を考慮すると可能であり、本発明の精神およびその範囲の一部分として考慮されるべきであると理解されるべきである。
【０１２５】
また、図面で示された１又は複数の要素が、さらなる分離した又は一体化した手段でも実行可能であることが明らかであり、ある場合で操作不能なように除去されたとしても、依然、特定の応用に従って有用である。さらに、上述した方法のいずれかをコンピュータに実行させることができるように、機械可読可能媒体に保存されたプログラム又はコードを実行することも本発明の技術思想及び技術範囲に含まれる。
【０１２６】
さらに図／図面中の任意の信号の矢印は、別途特定的に示されていない限り、例示的なものとして考慮され、限定的なものとして考慮されるべきではない。さらに、本書面中で用いられる「ｏｒ」との文言は、別途示されない限り、一般に「および／または」を意味すると意図される。要素と工程との組み合わせも、上述のように考慮されるべきで、分けるまたは組み合わせる能力が示されているか否かは不明瞭であるとして、文言は先見される。
【０１２７】
本明細書中および以下の請求項全体にわたって用いられている“ａ”“ａｎ”および“ｔｈｅ”は、文脈から明示的に異なると示されていない限り、複数形を含む。また、本明細書中および以下の請求項全体に渡って用いられている“ｉｎ”の意味は、文脈から明示的に異なると示されていない限り、“ｉｎ”および“ｏｎ”を含む。
【０１２８】
本発明中に例示されている実施形態の記載（要約での記載を含む）は、本発明がこれに尽きる、または、本発明をここで記載されている通りの正確な形態に限定するという意図はない。ここで説明した本発明の特定の実施形態および実施例は、例示目的のみのために記載したが、これ以外の等価の変更も、当業者には認識し評価するので、これらも本発明の精神およびその範囲内で可能である。上述したように、これらの変更は、本発明の例示した実施形態の上述の説明を考慮して本発明に対して行うことができ、これらは、本発明の精神およびその範囲内に含まれるべきである。
【０１２９】
したがって、本発明は、本書面中には、その特定の実施形態を参照して説明したが、ある程度自由な変更、様々な変化および置換は、上述の開示内に入るものと意図され、上述の本発明の範囲およびその精神から離れることなく、ある例では、本発明の実施形態のある特性が、他の特性を対応して使用することなしに採用されると理解される。したがって、多くの変更が、特定の状況または材料を、本発明の本質的な範囲およびその精神に適合させるために行われうる。本発明は、以下の請求項および／または本発明を実施するために考えられたベストモードとして開示された特定の実施形態で用いられた特定の文言に限定することは意図されておらず、むしろ、本発明は、従属請求項の範囲内に入る任意のおよび全ての実施形態ならびにその等価物を含むと意図される。したがって、本発明の範囲は、従属請求項によってのみ決定される。
【図１】
0005461747.tif 000002
【図２】
0005461747.tif 000003
【図３】
0005461747.tif 000004
【図４】
0005461747.tif 000005
【図５】
0005461747.tif 000006
【図６】
0005461747.tif 000007
【図７】
0005461747.tif 000008
【図８】
0005461747.tif 000009
【図９】
0005461747.tif 000010
【図１０】
0005461747.tif 000011
【図１１】
0005461747.tif 000012
【図１２】
0005461747.tif 000013
【図１３】
0005461747.tif 000014
【図１４】
0005461747.tif 000015
【図１５】
0005461747.tif 000016
【図１６】
0005461747.tif 000017
【図１７】
0005461747.tif 000018
【図１８】
0005461747.tif 000019
【図１９−２２】
0005461747.tif 000020
【図２３−２６】
0005461747.tif 000021
【図２７−３０】
0005461747.tif 000022
【図３１】
0005461747.tif 000023
【図３２】
0005461747.tif 000024
【図３３】
0005461747.tif 000025
【図３４】
0005461747.tif 000026
【図３５】
0005461747.tif 000027
【図３６】
0005461747.tif 000028
【図３７】
0005461747.tif 000029
【図３８】
0005461747.tif 000030